【手続補正書】
【提出日】平成18年2月27日(2006.2.27)
【手続補正１】
【補正対象書類名】明細書
【補正対象項目名】発明の名称
【補正方法】変更
【補正の内容】
【発明の名称】バーチャルトラベルなどのために使用するのに適した実況映像を視させる装置
【手続補正２】
【補正対象書類名】明細書
【補正対象項目名】特許請求の範囲
【補正方法】変更
【補正の内容】
【特許請求の範囲】
【請求項１】
「一つの乗り物から若しくは複数の乗り物からそれぞれ周囲を撮像して得られる、一つ又は複数の移動中の乗り物から見える周囲の実況映像」に関して、ユーザーの「キーワードや文章などの文字列、図形、映像、又は、地図上の位置データなどから成る希望データ」を、実況映像提供側に対して送信するための希望データ送信手段と、
前記希望データに適合する「一つ若しくは複数の乗り物、又は、それ若しくはそれらから見える実況映像」を、実況映像提供側から、オンラインで略リアルタイムに受信するための実況映像受信手段と、
前記実況映像受信手段により受信された実況映像を略リアルタイムにユーザー側に表示するための実況映像表示手段と、
を備えたことを特徴とする、バーチャルトラベルなどのために使用するのに適した実況映像を視させる装置。
【請求項２】
請求項１において、前記実況映像受信手段は、「キーワードや文章などの文字列、図形、映像、又は、地図上の位置データなどからのデータ」及び「一つ若しくは複数の乗り物を識別するための識別データ、又は、それ若しくはそれらから見える実況映像を識別するための識別データ」を互いに関連付けて記録したデータベースからのデータと前記ユーザーからの希望データとに基づいて決定された前記希望データに適合する「一つ若しくは複数の乗り物、又は、それ若しくはそれらから見える実況映像」を、実況映像提供側から受信するものである、ことを特徴とする、バーチャルトラベルなどのために使用するのに適した実況映像を視させる装置。
【請求項３】
一つ若しくは複数の乗り物に備えられ、移動中の乗り物から見える周囲の実況映像を取得するための実況映像取得手段と、
ユーザー側からの「ユーザーが希望する『乗り物から見える実況映像』に関する希望データであって、キーワードや文章などの文字列、図形、映像、又は、地図上の位置データなどから成る希望データ」を受信するための希望データ受信手段と、
前記希望データ受信手段により受け付けた希望データに基づいて、前記希望データに適合する「一つ若しくは複数の乗り物、又は、それ若しくはそれらから見える実況映像」を決定するための乗り物等決定手段と、
前記乗り物等決定手段により決定された「一つ若しくは複数の乗り物、又は、それ若しくはそれらから見える実況映像」から見える実況映像であって前記実況映像取得手段により取得される実況映像を、略リアルタイムにユーザー側に表示させるために、オンラインで略リアルタイムにユーザー側に送信するための実況映像送信手段と、
を備えたことを特徴とする、バーチャルトラベルなどのために使用するのに適した実況映像を視させる装置。
【請求項４】
一つ若しくは複数の乗り物に備えられ、移動中の乗り物から見える周囲の実況映像を取得するための実況映像取得手段と、
ユーザー側からの「ユーザーが希望する『乗り物から見える実況映像』に関する希望データであって、キーワードや文章などの文字列、図形、映像、又は、地図上の位置データなどから成る希望データ」を受信するための希望データ受信手段と、
前記希望データ受信手段により受け付けた希望データに基づいて、前記希望データに適合する「一つ若しくは複数の乗り物、又は、それ若しくはそれらから見える実況映像」を決定するための乗り物等決定手段と、
前記乗り物等決定手段により決定された「一つ若しくは複数の乗り物、又は、それ若しくはそれらから見える実況映像」から見える実況映像であって前記実況映像取得手段により取得される実況映像を、オンラインで略リアルタイムにユーザー側に送信するための実況映像送信手段と、
前記実況映像送信手段からの「一つ若しくは複数の乗り物、又は、それ若しくはそれらから見える実況映像」をオンラインで略リアルタイムに受信するための実況映像受信手段と、
前記実況映像受信手段により受信された実況映像を略リアルタイムにユーザー側に表示するための実況映像表示手段と、
を備えたことを特徴とする、バーチャルトラベルなどのために使用するのに適した実況映像を視させる装置。
【請求項５】
請求項３又は４において、前記乗り物等決定手段は、「キーワードや文章などの文字列、図形、映像、又は、地図上の位置データなどからのデータ」及び「一つ若しくは複数の乗り物を識別するための識別データ、又は、それ若しくはそれらから見える実況映像を識別するための識別データ」を互いに関連付けて記録したデータベースからのデータと前記ユーザーからの希望データとに基づいて、前記希望データに適合する「一つ若しくは複数の乗り物、又は、それ若しくはそれらから見える実況映像」を決定するものである、ことを特徴とする、バーチャルトラベルなどのために使用するのに適した実況映像を視させる装置。
【請求項６】
「複数の地点の実況映像」に関しての、ユーザーの「キーワードや文章などの文字列、図形、映像、又は、地図上の位置データなどから成る希望データ」を、実況映像提供側に対して送信するための希望データ送信手段と、
前記希望データに適合する「複数の地点と前記各地点間の順序とを要素とする、一つ又は複数のコース」に含まれる複数の地点の実況映像であって前記実況映像取得手段により取得される実況映像を、実況映像提供側から、前記順序に従って順次、オンラインで略リアルタイムに受信するための実況映像受信手段と、
前記実況映像受信手段により受信された実況映像を、前記順序に従って順次、略リアルタイムにユーザー側に表示するための実況映像表示手段と、
を備えたことを特徴とする、バーチャルトラベルなどのために使用するのに適した実況映像を視させる装置。
【請求項７】
「一つの乗り物から若しくは複数の乗り物からそれぞれ周囲を撮像して得られる、一つ又は複数の移動中の乗り物から見える周囲の実況映像」に関しての、ユーザーの「キーワードや文章などの文字列、図形、映像、又は、地図上の位置データなどから成る希望データ」を、実況映像提供側に対して送信するための希望データ送信手段と、
前記希望データに適合する「（ａ）一つ若しくは複数の乗り物と（ｂ）一つ若しくは複数の乗り物の移動区間とを要素とする、一つ又は複数のコース」に含まれる前記移動区間を移動中の前記乗り物から見える実況映像を、実況映像提供側から、オンラインで略リアルタイムに受信するための実況映像受信手段と、
前記実況映像受信手段により受信された実況映像を、略リアルタイムにユーザー側に表示するための実況映像表示手段と、
を備えたことを特徴とする、バーチャルトラベルなどのために使用するのに適した実況映像を視させる装置。
【請求項８】
「複数の地点の実況映像」と「一つの乗り物から若しくは複数の乗り物からそれぞれ周囲を撮像して得られる、一つ又は複数の移動中の乗り物から見える周囲の実況映像」に関しての、ユーザーの「キーワードや文章などの文字列、図形、映像、又は、地図上の位置データなどから成る希望データ」を、実況映像提供側に対して送信するための希望データ送信手段と、
前記希望データに適合する「（ａ）複数の地点、（ｂ）前記各地点間の順序、及び、（ｃ）前記順序に対応する乗り物及びその移動区間、を要素とする、一つ又は複数のコース」に含まれる「複数の地点の実況映像」及び「一つ又は複数の移動中の乗り物から見える周囲の実況映像」を、実況映像提供側から、前記（ｂ）の順序に従って順次、オンラインで略リアルタイムに受信するための実況映像受信手段と、
前記実況映像受信手段により受信された実況映像を、前記（ｂ）の順序に従って順次、略リアルタイムにユーザー側に表示するための実況映像表示手段と、
を備えたことを特徴とする、バーチャルトラベルなどのために使用するのに適した実況映像を視させる装置。
【請求項９】
複数の地点の実況映像をそれぞれ取得するための実況映像取得手段と、
ユーザー側から受信した「ユーザーが希望する映像に関する希望データであって、キーワードや文章などの文字列、図形、映像、又は、地図上の位置データなどから成る希望データ」に基づいて、「前記希望データに適合する、複数の地点と前記各地点間の順序とを要素とする、一つ又は複数のコース」を決定するためのコース決定手段と、
前記コース決定手段により決定された前記コースに含まれる複数の地点の実況映像であって前記実況映像取得手段により取得される実況映像を、前記順序に従ってユーザー側に略リアルタイムに表示させるために、前記順序に従って順次、オンラインで略リアルタイムにユーザー側に送信するための実況映像送信手段と、
を備えたことを特徴とする、バーチャルトラベルなどのために使用するのに適した実況映像を視させる装置。
【請求項１０】
一つ若しくは複数の乗り物に備えられ、一つ又は複数の移動中の乗り物から見える周囲の実況映像を取得するための実況映像取得手段と、
ユーザー側から受信した「ユーザーが希望する映像に関する希望データであって、キーワードや文章などの文字列、図形、映像、又は、地図上の位置データなどから成る希望データ」に基づいて、「前記希望データに適合する、（ａ）一つ若しくは複数の乗り物と（ｂ）一つ若しくは複数の乗り物の移動区間とを要素とする、一つ又は複数のコース」を決定するためのコース決定手段と、
前記コース決定手段により決定された前記コースに含まれる前記移動区間を移動中の前記乗り物から見える実況映像であって前記実況映像取得手段により取得される実況映像を、ユーザー側に略リアルタイムに表示させるために、オンラインで略リアルタイムにユーザー側に送信するための実況映像送信手段と、
を備えたことを特徴とする、バーチャルトラベルなどのために使用するのに適した実況映像を視させる装置。
【請求項１１】
複数の地点の実況映像をそれぞれ取得するための第１の実況映像取得手段と、
一つ若しくは複数の乗り物に備えられ、一つ又は複数の移動中の乗り物から見える周囲の実況映像を取得するための第２の実況映像取得手段と、
ユーザー側から受信した「ユーザーが希望する映像に関する希望データであって、キーワードや文章などの文字列、図形、映像、又は、地図上の位置データなどから成る希望データ」希望データに基づいて、「前記希望データに適合する、（ａ）複数の地点、（ｂ）前記各地点間の順序、及び、（ｃ）前記順序に対応する乗り物及びその移動区間、を要素とする、一つ又は複数のコース」を決定するためのコース決定手段と、
前記コース決定手段により決定された前記コースに含まれる複数の地点及び乗り物から見える実況映像であって前記第１及び第２の実況映像取得手段により取得された実況映像を、前記（ｂ）の順序に従ってユーザー側に略リアルタイムに表示させるために、前記（ｂ）の順序に従って順次、オンラインで略リアルタイムにユーザー側に送信するための実況映像送信手段と、
を備えたことを特徴とする、バーチャルトラベルなどのために使用するのに適した実況映像を視させる装置。
【請求項１２】
複数の地点の実況映像をそれぞれ取得するための実況映像取得手段と、
ユーザー側からの「ユーザーが希望する映像に関する希望データであって、キーワードや文章などの文字列、図形、映像、又は、地図上の位置データなどから成る希望データ」を受信するための希望データ受信手段と、
前記希望データ受信手段により受信された希望データに基づいて、「前記希望データに適合する、複数の地点と前記各地点間の順序とを要素とする、一つ又は複数のコース」を決定するためのコース決定手段と、
前記コース決定手段により決定された前記コースに含まれる複数の地点の実況映像であって前記実況映像取得手段により取得される実況映像を、前記順序に従って順次、オンラインで略リアルタイムにユーザー側に送信するための実況映像送信手段と、
前記実況映像送信手段から送信された前記希望データに適合する「複数の地点と前記各地点間の順序とを要素とする、一つ又は複数のコース」に含まれる複数の地点の実況映像を、前記順序に従って順次、オンラインで略リアルタイムに受信するための実況映像受信手段と、
前記実況映像受信手段により受信された実況映像を、前記順序に従って順次、略リアルタイムにユーザー側に表示するための実況映像表示手段と、
を備えたことを特徴とする、バーチャルトラベルなどのために使用するのに適した実況映像を視させる装置。
【請求項１３】
一つ若しくは複数の乗り物に備えられ、一つ又は複数の移動中の乗り物から見える周囲の実況映像を取得するための実況映像取得手段と、
ユーザー側からの「ユーザーが希望する映像に関する希望データであって、キーワードや文章などの文字列、図形、映像、又は、地図上の位置データなどから成る希望データ」を受信するための希望データ受信手段と、
前記希望データ受信手段により受信された希望データに基づいて、「前記希望データに適合する、（ａ）一つ若しくは複数の乗り物と（ｂ）一つ若しくは複数の乗り物の移動区間とを要素とする、一つ又は複数のコース」を決定するためのコース決定手段と、
前記コース決定手段により決定された前記コースに含まれる前記移動区間を移動中の前記乗り物から見える実況映像であって前記実況映像取得手段により取得される実況映像を、オンラインで略リアルタイムにユーザー側に送信するための実況映像送信手段と、
前記実況映像送信手段から送信された「前記コースに含まれる前記移動区間を移動中の前記乗り物から見える実況映像」を、オンラインで略リアルタイムに受信するための実況映像受信手段と、
前記実況映像受信手段により受信された実況映像を、略リアルタイムにユーザー側に表示するための実況映像表示手段と、
を備えたことを特徴とする、バーチャルトラベルなどのために使用するのに適した実況映像を視させる装置。
【請求項１４】
複数の地点の実況映像をそれぞれ取得するための第１の実況映像取得手段と、
一つ若しくは複数の乗り物に備えられ、一つ又は複数の移動中の乗り物から見える周囲の実況映像を取得するための第２の実況映像取得手段と、
ユーザー側から受信した「ユーザーが希望する映像に関する希望データであって、キーワードや文章などの文字列、図形、映像、又は、地図上の位置データなどから成る希望データ」希望データに基づいて、「前記希望データに適合する、（ａ）複数の地点、（ｂ）前記各地点間の順序、及び、（ｃ）前記順序に対応する乗り物及びその移動区間、を要素とする、一つ又は複数のコース」を決定するためのコース決定手段と、
前記コース決定手段により決定された前記コースに含まれる複数の地点及び乗り物から見える実況映像であって前記第１及び第２の実況映像取得手段により取得された実況映像を、前記（ｂ）の順序に従って順次、オンラインで略リアルタイムにユーザー側に送信するための実況映像送信手段と、
前記実況映像送信手段から送信された「前記コースに含まれる複数の地点及び乗り物から見える実況映像」を、オンラインで略リアルタイムに受信するための実況映像受信手段と、
前記実況映像受信手段により受信された実況映像を、前記（ｂ）の順序に従って、略リアルタイムにユーザー側に表示するための実況映像表示手段と、
を備えたことを特徴とする、バーチャルトラベルなどのために使用するのに適した実況映像を視させる装置。
【請求項１５】
請求項９から１４までのいずれかにおいて、
ユーザーからの前記コースに含まれる実況映像の送信希望日時を受信するための希望日時受信手段と、
前記希望日時受信手段からの出力に基づいて、前記希望日時に、前記実況映像を前記実況映像送信手段から送信するように前記実況映像送信手段を制御するための送信制御手段と、
を備えたことを特徴とする、バーチャルトラベルなどのために使用するのに適した実況映像を視させる装置。
【請求項１６】
請求項１５において、
ユーザーが前記コースに含まれる実況映像を送信してもらうときの利用料金を決定するための利用料金決定手段を備えており、前記利用料金決定手段は、前記希望日時受信手段が受け付けた希望日時に基づいて前記利用料金の額を決定するものである、ことを特徴とする、バーチャルトラベルなどのために使用するのに適した実況映像を視させる装置。
【請求項１７】
請求項１０，１１，１３，又は１４において、
前記コース決定手段は、複数の「一つの地点又は乗り物及びその移動区間、又は、複数の地点又は乗り物及びその移動区間、により構成されているコース」の情報と映像に関するキーワードや文章などの文字列、図形、映像、又は、地図上の位置データなどのデータとを互いに関連付けて記録しておくためのコースデータベースと、前記ユーザーからの希望データに基づいて前記コースデータベースから前記希望データと適合する一つ又は複数のコースを検索するための検索手段と、を含むものである、ことを特徴とする、バーチャルトラベルなどのために使用するのに適した実況映像を視させる装置。
【手続補正３】
【補正対象書類名】明細書
【補正対象項目名】０００１
【補正方法】変更
【補正の内容】
【０００１】
【発明の詳細な説明】
【発明の属する技術分野】
本発明は、各地点のリアルタイムの実況映像をユーザーの希望に応じて任意に提供することにより、ユーザーに、自宅に居ながら、遠隔の地に実際に旅行しているのと同じ感覚や感動を与えることができる在宅旅行（バーチャルトラベル）システムなどのために使用するのに適した実況映像を視させる装置に関する。
【手続補正４】
【補正対象書類名】明細書
【補正対象項目名】０００３
【補正方法】変更
【補正の内容】
【０００３】
【発明が解決しようとする課題】
しかしながら、これらの記録媒体に記録された映像は、「過去のもの」に過ぎず、「現在のもの、生のもの」ではない。そのため、実際の景色などは、季節の移り変わり、その日の天候、道路や建物の工事状況などにより、日々刻々変遷していくものであるのに、ユーザーが見ることができるのは「古い（新鮮でない）」ものでしかないという問題がある。
また、ユーザーは、紙やＣＤ−ＲＯＭに編集された観光地の「旅行ガイドブック」を見て、「旅行した気分」になることはある。しかしながら、それはあくまで、「編集者に選ばれた写真」などを通してその観光地を見ているに過ぎないので、「生の感動」を得ることは到底できないという問題がある。
本発明はこのような従来技術の問題点に着目してなされたもので、遠隔のユーザーに、希望の観光地の現在の実際の状況を、リアルタイムの映像で提供することにより、遠隔のユーザーがあたかもその観光地に実際に行っているような「感動」や「臨場感」を与えることができる、在宅旅行（バーチャルトラベル）などのために使用するのに適した実況映像を視させる装置を提供することを目的とする。
【手続補正５】
【補正対象書類名】明細書
【補正対象項目名】０００４
【補正方法】変更
【補正の内容】
【０００４】
【課題を解決するための手段】
本発明は次のようなものである。
１．「一つの乗り物から若しくは複数の乗り物からそれぞれ周囲を撮像して得られる、一つ又は複数の移動中の乗り物から見える周囲の実況映像」に関して、ユーザーの「キーワードや文章などの文字列、図形、映像、又は、地図上の位置データなどから成る希望データ」を、実況映像提供側に対して送信するための希望データ送信手段と、前記希望データに適合する「一つ若しくは複数の乗り物、又は、それ若しくはそれらから見える実況映像」を、実況映像提供側から、オンラインで略リアルタイムに受信するための実況映像受信手段と、前記実況映像受信手段により受信された実況映像を略リアルタイムにユーザー側に表示するための実況映像表示手段と、を備えたことを特徴とする、バーチャルトラベルなどのために使用するのに適した実況映像を視させる装置。
２．上記１において、前記実況映像受信手段は、「キーワードや文章などの文字列、図形、映像、又は、地図上の位置データなどからのデータ」及び「一つ若しくは複数の乗り物を識別するための識別データ、又は、それ若しくはそれらから見える実況映像を識別するための識別データ」を互いに関連付けて記録したデータベースからのデータと前記ユーザーからの希望データとに基づいて決定された前記希望データに適合する「一つ若しくは複数の乗り物、又は、それ若しくはそれらから見える実況映像」を、実況映像提供側から受信するものである、ことを特徴とする、バーチャルトラベルなどのために使用するのに適した実況映像を視させる装置。
３．一つ若しくは複数の乗り物に備えられ、移動中の乗り物から見える周囲の実況映像を取得するための実況映像取得手段と、ユーザー側からの「ユーザーが希望する『乗り物から見える実況映像』に関する希望データであって、キーワードや文章などの文字列、図形、映像、又は、地図上の位置データなどから成る希望データ」を受信するための希望データ受信手段と、前記希望データ受信手段により受け付けた希望データに基づいて、前記希望データに適合する「一つ若しくは複数の乗り物、又は、それ若しくはそれらから見える実況映像」を決定するための乗り物等決定手段と、前記乗り物等決定手段により決定された「一つ若しくは複数の乗り物、又は、それ若しくはそれらから見える実況映像」から見える実況映像であって前記実況映像取得手段により取得される実況映像を、略リアルタイムにユーザー側に表示させるために、オンラインで略リアルタイムにユーザー側に送信するための実況映像送信手段と、を備えたことを特徴とする、バーチャルトラベルなどのために使用するのに適した実況映像を視させる装置。
４．一つ若しくは複数の乗り物に備えられ、移動中の乗り物から見える周囲の実況映像を取得するための実況映像取得手段と、ユーザー側からの「ユーザーが希望する『乗り物から見える実況映像』に関する希望データであって、キーワードや文章などの文字列、図形、映像、又は、地図上の位置データなどから成る希望データ」を受信するための希望データ受信手段と、前記希望データ受信手段により受け付けた希望データに基づいて、前記希望データに適合する「一つ若しくは複数の乗り物、又は、それ若しくはそれらから見える実況映像」を決定するための乗り物等決定手段と、前記乗り物等決定手段により決定された「一つ若しくは複数の乗り物、又は、それ若しくはそれらから見える実況映像」から見える実況映像であって前記実況映像取得手段により取得される実況映像を、略リアルタイムにユーザー側に表示させるために、オンラインで略リアルタイムにユーザー側に送信するための実況映像送信手段と、前記実況映像送信手段からの「一つ若しくは複数の乗り物、又は、それ若しくはそれらから見える実況映像」をオンラインで略リアルタイムに受信するための実況映像受信手段と、前記実況映像受信手段により受信された実況映像を略リアルタイムにユーザー側に表示するための実況映像表示手段と、を備えたことを特徴とする、バーチャルトラベルなどのために使用するのに適した実況映像を視させる装置。
５．上記３又は４において、前記乗り物等決定手段は、「キーワードや文章などの文字列、図形、映像、又は、地図上の位置データなどからのデータ」及び「一つ若しくは複数の乗り物を識別するための識別データ、又は、それ若しくはそれらから見える実況映像を識別するための識別データ」を互いに関連付けて記録したデータベースからのデータと前記ユーザーからの希望データとに基づいて、前記希望データに適合する「一つ若しくは複数の乗り物、又は、それ若しくはそれらから見える実況映像」を決定するものである、ことを特徴とする、バーチャルトラベルなどのために使用するのに適した実況映像を視させる装置。
６．「複数の地点の実況映像」に関しての、ユーザーの「キーワードや文章などの文字列、図形、映像、又は、地図上の位置データなどから成る希望データ」を、実況映像提供側に対して送信するための希望データ送信手段と、前記希望データに適合する「複数の地点と前記各地点間の順序とを要素とする、一つ又は複数のコース」に含まれる複数の地点の実況映像であって前記実況映像取得手段により取得される実況映像を、実況映像提供側から、前記順序に従って順次、オンラインで略リアルタイムに受信するための実況映像受信手段と、前記実況映像受信手段により受信された実況映像を、前記順序に従って順次、略リアルタイムにユーザー側に表示するための実況映像表示手段と、を備えたことを特徴とする、バーチャルトラベルなどのために使用するのに適した実況映像を視させる装置。
７．「一つの乗り物から若しくは複数の乗り物からそれぞれ周囲を撮像して得られる、一つ又は複数の移動中の乗り物から見える周囲の実況映像」に関しての、ユーザーの「キーワードや文章などの文字列、図形、映像、又は、地図上の位置データなどから成る希望データ」を、実況映像提供側に対して送信するための希望データ送信手段と、前記希望データに適合する「（ａ）一つ若しくは複数の乗り物と（ｂ）一つ若しくは複数の乗り物の移動区間とを要素とする、一つ又は複数のコース」に含まれる前記移動区間を移動中の前記乗り物から見える実況映像を、実況映像提供側から、オンラインで略リアルタイムに受信するための実況映像受信手段と、前記実況映像受信手段により受信された実況映像を、略リアルタイムにユーザー側に表示するための実況映像表示手段と、を備えたことを特徴とする、バーチャルトラベルなどのために使用するのに適した実況映像を視させる装置。
８．「複数の地点の実況映像」と「一つの乗り物から若しくは複数の乗り物からそれぞれ周囲を撮像して得られる、一つ又は複数の移動中の乗り物から見える周囲の実況映像」に関しての、ユーザーの「キーワードや文章などの文字列、図形、映像、又は、地図上の位置データなどから成る希望データ」を、実況映像提供側に対して送信するための希望データ送受信手段と、前記希望データに適合する「（ａ）複数の地点、（ｂ）前記各地点間の順序、及び、（ｃ）前記順序に対応する乗り物及びその移動区間、を要素とする、一つ又は複数のコース」に含まれる「複数の地点の実況映像」及び「一つ又は複数の移動中の乗り物から見える周囲の実況映像」を、実況映像提供側から、前記（ｂ）の順序に従って順次、オンラインで略リアルタイムに受信するための実況映像受信手段と、前記実況映像受信手段により受信された実況映像を、前記（ｂ）の順序に従って順次、略リアルタイムにユーザー側に表示するための実況映像表示手段と、を備えたことを特徴とする、バーチャルトラベルなどのために使用するのに適した実況映像を視させる装置。
９．複数の地点の実況映像をそれぞれ取得するための実況映像取得手段と、ユーザー側から受信した「ユーザーが希望する映像に関する希望データであって、キーワードや文章などの文字列、図形、映像、又は、地図上の位置データなどから成る希望データ」に基づいて、「前記希望データに適合する、複数の地点と前記各地点間の順序とを要素とする、一つ又は複数のコース」を決定するためのコース決定手段と、前記コース決定手段により決定された前記コースに含まれる複数の地点の実況映像であって前記実況映像取得手段により取得される実況映像を、前記順序に従ってユーザー側に略リアルタイムに表示させるために、前記順序に従って順次、オンラインで略リアルタイムにユーザー側に送信するための実況映像送信手段と、を備えたことを特徴とする、バーチャルトラベルなどのために使用するのに適した実況映像を視させる装置。
１０．一つ若しくは複数の乗り物に備えられ、一つ又は複数の移動中の乗り物から見える周囲の実況映像を取得するための実況映像取得手段と、ユーザー側から受信した「ユーザーが希望する映像に関する希望データであって、キーワードや文章などの文字列、図形、映像、又は、地図上の位置データなどから成る希望データ」に基づいて、「前記希望データに適合する、（ａ）一つ若しくは複数の乗り物と（ｂ）一つ若しくは複数の乗り物の移動区間とを要素とする、一つ又は複数のコース」を決定するためのコース決定手段と、前記コース決定手段により決定された前記コースに含まれる前記移動区間を移動中の前記乗り物から見える実況映像であって前記実況映像取得手段により取得される実況映像を、ユーザー側に略リアルタイムに表示させるために、オンラインで略リアルタイムにユーザー側に送信するための実況映像送信手段と、を備えたことを特徴とする、バーチャルトラベルなどのために使用するのに適した実況映像を視させる装置。
１１．複数の地点の実況映像をそれぞれ取得するための第１の実況映像取得手段と、一つ若しくは複数の乗り物に備えられ、一つ又は複数の移動中の乗り物から見える周囲の実況映像を取得するための第２の実況映像取得手段と、ユーザー側から受信した「ユーザーが希望する映像に関する希望データであって、キーワードや文章などの文字列、図形、映像、又は、地図上の位置データなどから成る希望データ」希望データに基づいて、「前記希望データに適合する、（ａ）複数の地点、（ｂ）前記各地点間の順序、及び、（ｃ）前記順序に対応する乗り物及びその移動区間、を要素とする、一つ又は複数のコース」を決定するためのコース決定手段と、前記コース決定手段により決定された前記コースに含まれる複数の地点及び乗り物から見える実況映像であって前記第１及び第２の実況映像取得手段により取得された実況映像を、前記（ｂ）の順序に従ってユーザー側に略リアルタイムに表示させるために、前記（ｂ）の順序に従って順次、オンラインで略リアルタイムにユーザー側に送信するための実況映像送信手段と、を備えたことを特徴とする、バーチャルトラベルなどのために使用するのに適した実況映像を視させる装置。
１２．複数の地点の実況映像をそれぞれ取得するための実況映像取得手段と、ユーザー側からの「ユーザーが希望する映像に関する希望データであって、キーワードや文章などの文字列、図形、映像、又は、地図上の位置データなどから成る希望データ」を受信するための希望データ受信手段と、前記希望データ受信手段により受信された希望データに基づいて、「前記希望データに適合する、複数の地点と前記各地点間の順序とを要素とする、一つ又は複数のコース」を決定するためのコース決定手段と、前記コース決定手段により決定された前記コースに含まれる複数の地点の実況映像であって前記実況映像取得手段により取得される実況映像を、前記順序に従って順次、オンラインで略リアルタイムにユーザー側に送信するための実況映像送信手段と、前記実況映像送信手段から送信された前記希望データに適合する「複数の地点と前記各地点間の順序とを要素とする、一つ又は複数のコース」に含まれる複数の地点の実況映像を、前記順序に従って順次、オンラインで略リアルタイムに受信するための実況映像受信手段と、前記実況映像受信手段により受信された実況映像を、前記順序に従って順次、略リアルタイムにユーザー側に表示するための実況映像表示手段と、を備えたことを特徴とする、バーチャルトラベルなどのために使用するのに適した実況映像を視させる装置。
１３．一つ若しくは複数の乗り物に備えられ、一つ又は複数の移動中の乗り物から見える周囲の実況映像を取得するための実況映像取得手段と、ユーザー側からの「ユーザーが希望する映像に関する希望データであって、キーワードや文章などの文字列、図形、映像、又は、地図上の位置データなどから成る希望データ」を受信するための希望データ受信手段と、前記希望データ受信手段により受信された希望データに基づいて、「前記希望データに適合する、（ａ）一つ若しくは複数の乗り物と（ｂ）一つ若しくは複数の乗り物の移動区間とを要素とする、一つ又は複数のコース」を決定するためのコース決定手段と、前記コース決定手段により決定された前記コースに含まれる前記移動区間を移動中の前記乗り物から見える実況映像であって前記実況映像取得手段により取得される実況映像を、オンラインで略リアルタイムにユーザー側に送信するための実況映像送信手段と、前記実況映像送信手段から送信された「前記コースに含まれる前記移動区間を移動中の前記乗り物から見える実況映像」を、オンラインで略リアルタイムに受信するための実況映像受信手段と、前記実況映像受信手段により受信された実況映像を、略リアルタイムにユーザー側に表示するための実況映像表示手段と、を備えたことを特徴とする、バーチャルトラベルなどのために使用するのに適した実況映像を視させる装置。
１４．複数の地点の実況映像をそれぞれ取得するための第１の実況映像取得手段と、一つ若しくは複数の乗り物に備えられ、一つ又は複数の移動中の乗り物から見える周囲の実況映像を取得するための第２の実況映像取得手段と、ユーザー側から受信した「ユーザーが希望する映像に関する希望データであって、キーワードや文章などの文字列、図形、映像、又は、地図上の位置データなどから成る希望データ」希望データに基づいて、「前記希望データに適合する、（ａ）複数の地点、（ｂ）前記各地点間の順序、及び、（ｃ）前記順序に対応する乗り物及びその移動区間、を要素とする、一つ又は複数のコース」を決定するためのコース決定手段と、前記コース決定手段により決定された前記コースに含まれる複数の地点及び乗り物から見える実況映像であって前記第１及び第２の実況映像取得手段により取得された実況映像を、前記（ｂ）の順序に従って順次、オンラインで略リアルタイムにユーザー側に送信するための実況映像送信手段と、前記実況映像送信手段から送信された「前記コースに含まれる複数の地点及び乗り物から見える実況映像」を、オンラインで略リアルタイムに受信するための実況映像受信手段と、前記実況映像受信手段により受信された実況映像を、前記（ｂ）の順序に従って、略リアルタイムにユーザー側に表示するための実況映像表示手段と、を備えたことを特徴とする、バーチャルトラベルなどのために使用するのに適した実況映像を視させる装置。
１５．上記９から１４までのいずれかにおいて、ユーザーからの前記コースに含まれる実況映像の送信希望日時を受信するための希望日時受信手段と、前記希望日時受信手段からの出力に基づいて、前記希望日時に、前記実況映像を前記実況映像送信手段から送信するように前記実況映像送信手段を制御するための送信制御手段と、を備えたことを特徴とする、バーチャルトラベルなどのために使用するのに適した実況映像を視させる装置。
１６．上記１５において、ユーザーが前記コースに含まれる実況映像を送信してもらうときの利用料金を決定するための利用料金決定手段を備えており、前記利用料金決定手段は、前記希望日時受信手段が受け付けた希望日時に基づいて前記利用料金の額を決定するものである、ことを特徴とする、バーチャルトラベルなどのために使用するのに適した実況映像を視させる装置。
１７．上記１０，１１，１３，又は１４において、前記コース決定手段は、複数の「一つの地点又は乗り物及びその移動区間、又は、複数の地点又は乗り物及びその移動区間、により構成されているコース」の情報と映像に関するキーワードや文章などの文字列、図形、映像、又は、地図上の位置データなどから成る希望データとを互いに関連付けて記録しておくためのコースデータベースと、前記ユーザーからの希望データに基づいて前記コースデータベースから前記希望データと適合する一つ又は複数のコースを検索するための検索手段と、を含むものである、ことを特徴とする、バーチャルトラベルなどのために使用するのに適した実況映像を視させる装置。
Ａ１．公衆への開示が可能な多数の地点の実況映像をそれぞれリアルタイムに常時入力するために、各地点にそれぞれ設けられた映像入力手段、ユーザーからの要求に基づいて、前記の多数の映像入力手段により得られた実況映像の中から、予め決定されたあるグループに含まれる複数の実況映像を、予め決定された順序に従って、ユーザーに提供する実況映像提供手段、及び、前記実況映像提供手段から提供された実況映像を、ユーザーのために、リアルタイムに表示するための表示手段、を含むことを特徴とする在宅旅行システム。
なお、本明細書において、「在宅旅行」と「仮想旅行」とは同一の意味で使用している。
Ａ２．上記Ａ１において、前記映像入力手段は、汽車、電車、バス、飛行機、船舶などの乗物から外を見た景色を撮像するように、前記乗物に取り付けられたものを含むものである、在宅旅行システム。
なお、本発明において、前記乗物に取り付けられる映像入力手段は、前記乗物の客席又はその近傍、乗物の運転席又はその近傍、乗物の屋根などに取り付けられて、乗物の内部から外を眺めたのとほぼ同じような景色を撮像するものである。
Ａ３．上記Ａ１又はＡ２において、さらに、ユーザーから入力された希望データに基づいて、前記の多数の映像入力手段により得られた実況映像の中から、複数の実況映像を選択して、これらを一つのグループと決定するグループ決定手段、を含むことを特徴とする在宅旅行システム。
Ａ４．上記Ａ３において、さらに、ユーザーから入力された希望データに基づいて、前記のグループとして選択された複数の実況映像をユーザーへ提供するときの、各実況映像の提供の順序を決定する順序決定手段、を含むことを特徴とする在宅旅行システム。
Ａ５．上記Ａ３又はＡ４において、さらに、前記各実況映像を互いに識別するための実況映像識別データを、キーワード又は文章などの文字列と関連付けながら、記録する実況映像識別データ及び文字列記録手段、前記ユーザーからの希望データを、キーワード又は文章などの文字列により入力するための文字列入力手段、を含むことを特徴とする在宅旅行システム。
なお、本発明において、実況映像識別データとは、各地点のカメラ又はそのカメラからの実況映像を他の実況映像と識別するための識別データである。
Ａ６．上記Ａ３又はＡ４において、さらに、前記各実況映像を互いに識別するための実況映像識別データを、地図が表示された地図画面上の各地点を互いに識別するための地点識別データと関連付けながら、記録する実況映像識別データ及び地点識別データ記録手段、前記ユーザーからの希望データを、地図画面上の任意の地点の指定により入力するための地点入力手段、を含むことを特徴とする在宅旅行システム。
Ａ７．上記Ａ１からＡ６までのいずれかにおいて、さらに、前記実況映像のユーザーへの提供行為に応じて、ユーザーの利用料金を算出する利用料金算出手段、を含むことを特徴とする在宅旅行システム。
Ａ８．上記Ａ７において、前記利用料金算出手段は、前記の実況映像が提供された時期により、例えば、その提供した時期がユーザーからの提供の要求が多い時期か否かにより、利用料金を変更するものである、在宅旅行システム。
Ａ９．上記Ａ８において、さらに、前記利用料金算出手段により算出された利用料金をユーザーに通知する利用料金通知手段を含むことを特徴とする、在宅旅行システム。
Ａ１０．上記Ａ５からＡ９までのいずれかにおいて、前記各実況映像を互いに識別するための実況映像識別データは、前記映像入力手段が設けられた各地点を示すデータとその映像入力手段が撮影する方向を示すデータとから構成されている、在宅旅行システム。
Ａ１１．公衆への開示が可能な多数の地点の実況映像をそれぞれリアルタイムに常時入力するために、各地点にそれぞれ設けられた映像入力手段、前記映像入力手段からの実況映像を互いに識別するための実況映像識別データを記録する実況映像識別データ記録手段、
ユーザーの現在位置を特定する現在位置特定手段、この現在位置特定手段により特定されたユーザーの現在位置に基づいて、前記実況映像識別データ記録手段から、前記ユーザーの現在位置の近くにある一つ又は複数の実況地点の実況映像を特定するための実況映像識別データを選択する実況映像識別データ選択手段、この選択された実況映像識別データに基づいて、該当する実況映像をオンラインで取り込む映像取り込み手段、及び、この映像取り込み手段により取り込まれた実況映像をリアルタイムに表示する表示手段、からなる、在宅旅行システム。
Ａ１２．上記Ａ１１において、前記映像入力手段は、前記各実況地点から複数の方向に向かって見える映像をそれぞれ撮像するものであり、前記各実況映像を互いに識別するための実況映像識別データは、前記映像入力手段が設けられた各実況地点の位置を示す位置データと、その映像入力手段が撮像する方向を示す方向データと、から構成されており、前記現在位置特定手段は、ユーザーの現在位置を特定する手段とユーザーの進行方向を特定する手段とを含んでおり、前記実況映像識別データ選択手段は、前記現在位置特定手段により特定されたユーザーの現在位置及びユーザーの進行方向に基づいて、ユーザーの現在位置からユーザーの進行する側の方向に存在する実況地点であってユーザーの現在位置に近い実況地点の位置を示す位置データと、ユーザーの進行方向を示す方向データと、から成る実況映像識別データを、選択するものである、ことを特徴とする在宅旅行システム。
【手続補正６】
【補正対象書類名】明細書
【補正対象項目名】００４５
【補正方法】変更
【補正の内容】
【００４５】
【発明の効果】
（１）本発明によれば、一つのグループにまとめられた複数の地点からそれぞれ見える実況映像を、リアルタイムに、所定の順序で、次々とユーザーに提供することができる。したがって、ユーザーは、例えば自宅にいながら、あたかも、前記のグループ内の複数の地点を所定の順序で周遊しているのと同様の感動・臨場感を得ることが可能になる。
（２）本発明によれば、ユーザーは、地図を見ながら、例えば希望の地点をポインティングデバイスで指定する（例えばマウスでクリックする）だけで、その地点の今の現時点の状況を実況映像で見ることができる。また、ユーザーは、いちいちポインティングデバイスで指定しなくても、予めコンピュータプログラムにより、複数の地点からの実況映像を順次リアルタイムに表示するように設定しておけば、コンピュータにより次々と希望する地点に対応する実況映像を表示させることができる。よって、ここでも、ユーザーは画面上で、実際には行っていないのに実際に行っているのと同じ感動や臨場感を得られる「バーチァル・トラベル（仮想旅行）」を実現できるようになる。
また、例えば、全世界の地図から全世界の各地の実況映像をみながら、全世界のユーザーが一つの宝を探していくというような、コンピュータ通信ネットワークの世界の中での「宝探し」ゲームを世界中で同時に競うことも可能になる。
（３）また本発明によれば、ユーザーは、自分の希望する文字列等により構成される検索データを入力することにより、その検索データに対応する一つ又は複数の地点の実況映像を、その場でリアルタイムに見ることが可能になる。特に、遠隔の複数の地点における今この瞬間の実況を映像でリアルタイムに順次見ることができる「バーチャル・トラベル（仮想旅行）」を提供できるようになる。
（４）なお、本発明において、前記各実況映像を特定するための実況映像識別データを、前記映像入力手段が設けられた各地点を示す位置データとその映像入力手段が撮影した方向を示す方向データとから構成するようにすれば、同じ地点でも、見る方向によって異なる実況映像を提供できるようになり、「生の現場」をより詳細にリアルタイムに再現できる実況映像を提供できるようになる。
（５）また従来より存在しているＧＰＳ受信機と本発明とを組み合わせることによって、次のような効果を得ることができる。すなわち、ユーザーがＧＰＳ受信機からの現在位置（緯度データと経度データの座標データ）に基づいて地図データベースから現在位置を含む所定領域の地図を読み出して表示し、その表示された地図上に表示された現在位置（座標データ）又はそれと近い地点をユーザーがマウスでクリックしてその地点の実況映像をオンラインで取り出すように指令すれば、ＧＰＳ受信機からの現在位置が計測誤差などがなく正しいものかどうかを確認できる。つまり、表示された実況映像がユーザーの現在の位置から実際に見えるものと一致していれば、ＧＰＳ受信機からの現在位置は正しいものと判定できる（従来は、ユーザーは、地図だけでは、ＧＰＳ受信機による現在位置が正しいかどうかを自分で確かめることが困難だった）。